(57)【特許請求の範囲】
【請求項１】
段ボール板紙を所定枚数積層して搬送しつつ、該段ボール板紙の打ち抜き時に発生して該段ボール板紙に付着する切屑片を除去する段ボール板紙の切屑片除去装置であって、
互いに対向して起立する一対の支持板を備え、両支持板の間に所定枚数積層された段ボール板紙を起立状態で支持して搬送方向に移動するバケットと、
該バケットによって所定枚数積層され起立状態で搬送される各段ボール板紙の間に、各段ボール板紙に付着する切屑片が落下可能な間隙を形成する間隙形成手段とを備え、
該間隙形成手段は、前記バケットによって搬送される段ボール板紙の通過位置に設けられて前記バケットの底部より高い位置に一部が突出し、該バケットの搬送速度に同期して段ボール板紙の搬送方向に回転されると共に該バケットによって搬送される段ボール板紙の下縁を順次所定間隔を存して係止して各段ボール板紙の間に空隙を形成しつつ各段ボール板紙を移送する回転体を備えることを特徴とする段ボール板紙の切屑片除去装置。
【請求項２】
前記バケットの底部より高い位置において所定枚数積層された段ボール板紙の下縁に当接し、且つ前記間隙形成手段の回転体の頂部より低い位置を経て前記バケットの移動方向に沿って延設され、該バケットと同期して段ボール板紙を搬送する搬送コンベヤを備えることを特徴とする請求項１記載の段ボール板紙の切屑片除去装置。
【請求項３】
前記搬送コンベアは、段ボール板紙の搬送方向の上流側に配設された第１コンベヤと、該第１コンベヤの終端部の一側方の隣接する位置から下流に向って延設された第２コンベヤとによって構成されていることを特徴とする請求項２記載の段ボール板紙の切屑片除去装置。
【請求項４】
前記第１コンベヤと第２コンベヤとは、段ボール板紙の下縁位置に対応して当接支持する位置が調節可能に設けられていることを特徴とする請求項３記載の段ボール板紙の切屑片除去装置。
【請求項５】
前記間隙形成手段によって間隙が形成された各段ボール板紙の上方から下方に向ってエアを噴出し、各段ボール板紙間から切屑片を強制的に落下させるエア噴出手段を備えることを特徴とする請求項１乃至４の何れか１項記載の段ボール板紙の切屑片除去装置。
【請求項６】
前記間隙形成手段の回転体は、外周に所定間隔を存して複数の係止凸部を備えて各係止凸部間に段ボール板紙を一枚ずつ係止する無端ベルトと、
該無端ベルトの一部を前記第１コンベアによって搬送される段ボール板紙の下縁に当接する位置に突出させ該無端ベルトを掛け渡して回動させる一対のプーリとを備えることを特徴とする請求項１乃至５の何れか１項記載の段ボール板紙の切屑片除去装置。
【請求項７】
前記間隙形成手段の上流側に設けられ、前記バケットによって搬送される段ボール板紙の上縁に当接して積層状態の各段ボール板紙の上部側を離反させる上部ブラシローラを備えることを特徴とする請求項１乃至６の何れか１項記載の段ボール板紙の切屑片除去装置。
【請求項８】
前記段ボール板紙の搬送方向の両側に設けられ、各段ボール板紙の両側縁に当接して各段ボール板紙に付着する紙粉を除去する複数の側部ブラシローラを備えることを特徴とする請求項１乃至７の何れか１項記載の段ボール板紙の切屑片除去装置。
【発明の詳細な説明】
【０００１】
【発明の属する技術分野】
本発明は、段ボール板紙の打ち抜き時に発生して該段ボール板紙に付着する切屑片を除去する段ボール板紙の切屑片除去装置に関する。
【０００２】
【従来の技術】
この種の段ボール板紙としては、展開形状に打ち抜いて形成された段ボール箱や箱内に組み付ける段ボール製仕切り板等が挙げられる。そして、例えば、段ボール箱の打ち抜き時には、段ボールの細かい切屑片が発生する。このとき発生した切屑片は、段ボール箱から分離されずに、段ボール箱に付着したままとなることがある。このように切屑片が付着した状態の段ボール箱は、輸送や保管の際や組立ての際に切屑片が飛散して後処理が煩わしい不都合がある。
【０００３】
そこで、打ち抜き後の段ボール箱から切屑片を除去する切屑片除去装置が知られている。この種の切屑片除去装置は、図６に示すように、積層された複数の段ボール箱Ｗを起立状態で搬送しつつ各段ボール箱Ｗ間から切屑片Ｙを落下させる。即ち、該切屑片除去装置は、段ボール箱Ｗの搬送方向に移動する複数のバケット２５と、該バケット２５の通過位置に設けられた案内部２６とを備えている。該案内部２６には、上流側から次第に上昇方向に傾斜する傾斜部２７と、下流端において段ボール箱Ｗを落下させる段差部２８とが形成されている。バケット２５は、詳しくは図示されないが、段ボール箱Ｗの両側部を保持するように搬送方向に直行する方向に間隔を存して一対ずつ設けられている。前記案内部２６は一対のバケット２５間に位置して搬送方向に延設されている。
【０００４】
バケット２５によって起立状態で搬送された段ボール箱Ｗは、案内部２６の傾斜部２７に案内されてバケット２５の底部２９から離反する。案内部２６の終端部に搬送された段ボール箱Ｗは、段差部２８からバケット２５の底部２９上に一枚ずつ落下される。このとき段ボール箱Ｗに衝撃が付与され、切屑片Ｙを落下させる。
【０００５】
しかし、段差部２８から落下した段ボール箱Ｗはその下縁がバケット２５の底部２９に衝突するために、段ボール箱Ｗの下縁に傷や捲れが生じる不都合がある。また、各段ボール箱Ｗは一枚ずつ段差部２８から落下しても、各段ボール箱Ｗ間に十分な空隙が形成されず、落下途中の切屑片Ｙが各段ボール箱Ｗ間に挟持されるようにして停留してしまう不都合がある。
【０００６】
【発明が解決しようとする課題】
かかる不都合を解消して、本発明は、段ボール板紙を損傷させることなく、切屑片を確実に除去することができる段ボール板紙の切屑片除去装置を提供することを目的とする。
【０００７】
【課題を解決するための手段】
かかる目的を達成するために、本発明は、段ボール板紙を所定枚数積層して搬送しつつ、該段ボール板紙の打ち抜き時に発生して該段ボール板紙に付着する切屑片を除去する段ボール板紙の切屑片除去装置であって、互いに対向して起立する一対の支持板を備え、両支持板の間に所定枚数積層された段ボール板紙を起立状態で支持して搬送方向に移動するバケットと、該バケットによって所定枚数積層され起立状態で搬送される各段ボール板紙の間に、各段ボール板紙に付着する切屑片が落下可能な間隙を形成する間隙形成手段とを備え、該間隙形成手段は、前記バケットによって搬送される段ボール板紙の通過位置に設けられて前記バケットの底部より高い位置に一部が突出し、該バケットの搬送速度に同期して段ボール板紙の搬送方向に回転されると共に該バケットによって搬送される段ボール板紙の下縁を順次所定間隔を存して係止して各段ボール板紙の間に空隙を形成しつつ各段ボール板紙を移送する回転体を備えることを特徴とする。
【０００８】
本発明の切屑片除去装置によれば、前記バケットの支持板により各段ボール板紙の起立状態が維持されて各段ボール板紙が搬送される。そして、各段ボール板紙は前記間隙形成手段を通過することによって、該間隙形成手段の回転体に順次係止されて該回転体を乗り越えるようにして一枚ずつ分離される。このように、バケットの搬送速度に同期して回転する回転体により各段ボール板紙を強制的に送り移動させることによって各段ボール板紙の間には十分に広い間隙を形成することができる。従って、各段ボール板紙の間に形成された間隙を介して切屑片を確実に落下させることができる。
【０００９】
また、本発明においては、前記バケットの底部より高い位置において所定枚数積層された段ボール板紙の下縁に当接し、且つ前記間隙形成手段の回転体の頂部より低い位置を経て前記バケットの移動方向に沿って延設され、該バケットと同期して段ボール板紙を搬送する搬送コンベヤを備えることを特徴とする。
【００１０】
これにより、各段ボール板紙はバケットの底部から離間して、前記搬送コンベヤに支持されて搬送されるので、バケットの底部と各段ボール板紙の下縁との間に落下した切屑片が挟み込まれて停留することなく切屑片を円滑に落下させることができる。
【００１１】
また、前記搬送コンベアは、段ボール板紙の搬送方向の上流側に配設された第１コンベヤと、該第１コンベヤの終端部の一側方の隣接する位置から下流に向って延設された第２コンベヤとによって構成されていることが好ましい。
【００１２】
先ず、第１コンベアにより搬送された各段ボール板紙は、該第１コンベヤの終端部において前記第２コンベアに移載される。該第２コンベアは、第１コンベヤの終端部の一側方の隣接する位置から下流に向って延設されているので、各段ボール板紙の下縁と第２コンベアとの当接支持位置が、各段ボール板紙の下縁と第１コンベアとの当接支持位置と異なる。これによって、例えば、各段ボール板紙の下縁と第１コンベアとの間に挟まれて落下されなかった切屑片を、第２コンベアによる搬送時に開放して円滑に落下させることができる。
【００１３】
更に、前記第１コンベヤと第２コンベヤとは、段ボール板紙の下縁位置に対応して当接支持する位置が調節可能に設けられていることが好ましい。
【００１４】
例えば、段ボール板紙として展開状態の段ボール箱においては、第１コンベヤ上や第２コンベヤ上に起立されているとき、上部と下部とに複数（通常上下共に４つ）のフラップが位置する。そして、この種の段ボール箱は、その組立て形状によって各フラップの長さ寸法が異なることがあり、第１コンベヤが当接されるフラップの下縁位置と第２コンベヤが当接されるフラップの下縁位置とが異なる場合がある。そこで、本発明においては、搬送される段ボール板紙の形状に応じて前記第１コンベヤと第２コンベヤとの当接位置を調節することで、搬送される段ボール板紙の形状が変更されても、第１コンベヤと第２コンベヤとによって段ボール板紙を安定して搬送することができる。
【００１５】
また、本発明においては、前記間隙形成手段によって間隙が形成された各段ボール板紙の上方から下方に向ってエアを噴出し、各段ボール板紙間から切屑片を強制的に落下させるエア噴出手段を備えることを特徴とする。
【００１６】
これにより、前記間隙形成手段を通過して間隙が形成された各段ボール板紙の上方から前記エア噴出手段によるエアを吹き付けるので、各段ボール板紙の間に形成された間隙を介して切屑片を確実に落下させることができる。
【００１７】
また、本発明における前記間隙形成手段の回転体の好ましい態様の一つは、外周に所定間隔を存して複数の係止凸部を備えて各係止凸部間に段ボール板紙を一枚ずつ係止する無端ベルトと、該無端ベルトの一部を前記第１コンベアによって搬送される段ボール板紙の下縁に当接する位置に突出させ該無端ベルトを掛け渡して回動させる一対のプーリとを備えることを特徴とする。
【００１８】
前記搬送コンベアにより搬送された各段ボール板紙は、一枚ずつ順次係止凸部に係止される。そして、係止凸部に係止された段ボール板紙は、無端ベルトの回動により後続する段ボール板紙から離間して下流に送られる。これによって、各段ボール板紙間に確実に十分広い間隙を形成することができ、該間隙を介して切屑片を円滑に落下させることができる。
【００１９】
また、本発明においては、前記間隙形成手段の上流側に設けられ、前記第１コンベアによって搬送される段ボール板紙の上縁に当接して積層状態の各段ボール板紙の上部側を離反させる上部ブラシローラを備えることを特徴とする。
【００２０】
該上部ブラシローラに当接した段ボール板紙は、該上部ブラシローラの回転に伴って上部側が一枚ずつ離間され、上部側に付着している切屑片を掻き落とすことができる。
【００２１】
また、本発明においては、前記搬送コンベヤによる段ボール板紙の搬送方向の両側に設けられ、各段ボール板紙の両側縁に当接して各段ボール板紙に付着する紙粉を除去する複数の側部ブラシローラを備えることが好ましい。
【００２２】
これによって、各段ボール板紙を搬送しつつ両側縁に付着する紙粉を側部ブラシローラにより掻き取ることができ、切屑片だけでなく紙粉を確実に除去することができる。
【００２３】
【発明の実施の形態】
本発明の一実施形態を図面に基づいて説明する。図１は本実施形態の切屑片除去装置の概略構成を示す説明的側面図、図２は図１示の切屑片除去装置の概略構成を一部省略して示す説明的平面図、図３は段ボール箱の搬送状態を示す説明図、図４は間隙形成手段の作動を模式的に示す説明図、図５は搬送コンベヤによる段ボール箱の支持位置を示す説明図である。なお、図２においては、説明の便宜上投入位置及び払出位置以外の位置にあるバケットを図示省略した。また、本実施形態においては段ボール板紙として展開状態の段ボール箱Ｗに付着する切屑片Ｙの除去について説明する。
【００２４】
本実施形態の切屑片除去装置１は、図１及び図２に示すように、展開形状に打ち抜かれた板状の段ボール箱Ｗを所定枚数積層して投入する投入コンベヤ２と、該投入コンベヤ２の終端位置で受け取った段ボール箱Ｗを起立させて搬送する複数のバケット３と、該バケット３により搬送された段ボール箱Ｗを横倒状態で受け取って払い出す払出コンベヤ４とを備えている。
【００２５】
前記バケット３は、起立状態の段ボール箱Ｗを支持する一対の支持板５を備え、底部６が無端チェーン７に連結されている。無端チェーン７は一対のスプロケット８に掛け渡され、図示しない駆動手段により間欠回動されるようになっている。
【００２６】
該無端チェーン７の往路側に沿って、搬送コンベヤ９が設けられている。該搬送コンベヤ９は、図２に示すように、上流側に位置する一対の第１コンベヤ１０と、各第１コンベヤ１０に連続して下流側に延設された一対の第２コンベヤ１１とによって構成されている。
【００２７】
第１コンベヤ１０は、無端ベルト１０ａと、該無端ベルト１０ａを掛け渡して図示しない駆動手段により回動される一対のプーリ１０ｂによって構成されている。該無端ベルト１０ａは、前記バケット３を回動させる無端チェーン７に同期して間欠回動される。また、図３に示すように、該無端ベルト１０ａの往路側は前記バケット３の底部６よりも上方に位置している。これにより、バケット３内の段ボール箱Ｗの下縁は、バケット３の底部６に接することなく、無端ベルト１０ａに当接支持される。
【００２８】
図１に示すように、第２コンベヤ１１は、第１コンベヤ１０と同様に、無端ベルト１１ａと、該無端ベルト１１ａを掛け渡して図示しない駆動手段により回動される一対のプーリ１１ｂによって構成されている。該第２コンベヤ１１の無端ベルト１１ａにおいても、前記バケット３を回動させる無端チェーン７に同期して間欠回動され、図３に示すように、該無端ベルト１１ａの往路側は前記バケット３の底部６よりも上方に位置している。これにより、バケット３内の段ボール箱Ｗの下縁は、バケット３の底部６に接することなく、無端ベルト１１ａに当接支持される。更に、第１コンベヤ１０と第２コンベヤ１１とは、図２に示すように、搬送方向に直行する方向に位置をずらして設けられ、これによって、第１コンベヤ１０によって当接支持される段ボール箱Ｗの下縁と第２コンベヤ１１によって当接支持される段ボール箱Ｗの下縁とが異なる位置とされる。
【００２９】
両第１コンベヤ１０の側方位置には、間隙形成手段１２が設けられている。該間隙形成手段１２は、図１に示すように、駆動プーリ１３と従動プーリ１４とに掛け渡された回転体である間隙形成ベルト１５（無端ベルト）を備えている。駆動プーリ１３は図示しない駆動手段により、第１コンベヤ１０と同期して間隙形成ベルト１５を間欠回動させる。該間隙形成ベルト１５は、後述するように、バケット３内の各段ボール箱Ｗの間に間隙を形成するものであり、段ボール箱Ｗ一枚ずつの下縁に係止する複数の係止凸部１６（図４示）を備えている。
【００３０】
第１コンベヤ１０の上流端部の上方位置であって、バケット３内に起立する各段ボール箱Ｗの上縁に接する位置には、上部ブラシローラ１７が設けられている。該上部ブラシローラ１７は、図示しない駆動手段によって常時回転駆動される。
【００３１】
該上部ブラシローラ１７の下流側近傍と、前記間隙形成手段１２の上方には、下方に向ってエアを噴出するエア噴出手段１８，１９が設けられている。該エア噴出手段１８，１９は図示しないエア供給手段によりエアが供給される。
【００３２】
また、図１及び図２に示すように、前記間隙形成手段１２の上流側には、バケット３内の段ボール箱Ｗの両側縁に当接して各段ボール箱Ｗを整列させる押えブラシローラ２０が回転自在に設けられている。更に、第２コンベヤ１１の下流端部には、バケット３内の段ボール箱Ｗの両側縁に当接する複数の側部ブラシローラ２１ａ，２１ｂ，２２ａ，２２ｂが設けられている。各側部ブラシローラ２１ａ，２１ｂ，２２ａ，２２ｂは、図示しない駆動手段によってそれぞれ回転駆動され、図３に示すように、段ボール箱Ｗの両側縁に当接して紙粉を除去する。即ち、左右に設けられた第１側部ブラシローラ２１ａ，２１ｂは、夫々上下一対設けられている。左右に設けられた第２側部ブラシローラ２２ａ，２２ｂは、夫々段ボール箱Ｗの両側縁に当接する方向に進退自在に設けられている。段ボール箱Ｗの接着片Ｘが図３示のように左側に位置する場合には、左側の第１側部ブラシローラ２１ａが該接着片Ｘの上下に形成された切欠に接し、左側の第２側部ブラシローラ２２ａは接着片Ｘの先端縁に接して紙粉を払い落とす。一方、この場合には、右側の第１側部ブラシローラ２１ｂが段ボール箱Ｗの上下のフラップ側縁に接し、右側の第２側部ブラシローラ２２ｂは段ボール箱Ｗの右側縁に接して紙粉を払い落とす。
【００３３】
次に、以上の構成からなる本実施形態の切屑片除去装置１の要部の作動を説明する。図１に示すように、複数の段ボール箱Ｗが積層された状態で投入コンベヤ２により投入されると、該投入コンベヤ２の終端部において待機しているバケット３内に積層状態の段ボール箱Ｗが投入される。このとき、投入コンベヤ２による送り込みによって各段ボール箱Ｗがバケット３の底部６に当接し、整列される。
【００３４】
次いで、バケット３が無端チェーン７により回動され、バケット３と共に積層状態の段ボール箱Ｗが起立される。このとき、バケット３の回動方向に沿って設けられたガイド部材２４によって段ボール箱Ｗの下縁がバケット３の底部６から離反し、バケット３と共に積層状態の段ボール箱Ｗが起立した際には、前記搬送コンベヤ９の第１コンベヤ１０上に移載される。更に、前記上部ブラシローラ１７がバケット３内の段ボール箱Ｗの上縁に接して回転するので、バケット３内の各段ボール箱Ｗはその上部側において分離される。同時に上方からエア噴出手段１８によるエアの吹きつけが行なわれ、各段ボール箱Ｗ間の切屑片や紙粉が落下する。
【００３５】
続いて、バケット３が下流に移動すると、バケット３内の各段ボール箱Ｗは、前記間隙形成手段１２の間隙形成ベルト１５上を通過する。詳しく説明すれば、図４に模式的に示すように、バケット３により支持されると共に第１コンベヤ１０により搬送される各段ボール箱Ｗは、間隙形成ベルト１５の係止凸部１６によってその下縁が係止され、一枚ずつ分離しつつ送り出される。このとき、係止凸部１６に係止される直前の段ボール箱Ｗは前記押えブラシローラ２０によって倒れが防止されているので、各段ボール箱Ｗは一枚ずつ確実に分離される。このようにして各段ボール箱Ｗが分離して間隙が形成されることにより、各段ボール箱Ｗ間に挟まれていた切屑片Ｙや紙粉が落下する。しかも、その上方からは前記エア噴出手段１９によってエアが吹き付けられるので、切屑片Ｙや紙粉が比較的強固に付着していても、確実に落下させることができる。
【００３６】
続いて、更に下流に搬送された各段ボール箱Ｗは、バケット３によって押し送りされた状態を維持しながら第２コンベヤ１１による搬送が継続される。図２に示すように、該第２コンベヤ１１は前記第１コンベヤ１０と異なる位置に設けられているので、第１コンベヤ１０により落下が阻止された切屑片が存在したとしても、各段ボール箱Ｗが第２コンベヤ１１上に移載された時点で確実に落下する。
【００３７】
そして、第２コンベヤ１１により搬送される各段ボール箱Ｗは、図３に示すように、側部ブラシローラ２１ａ，２１ｂ，２２ａ，２２ｂによって紙粉が除去される。そして、図１に示すように、第２コンベヤ１１の終端からバケット３が傾動し、各段ボール箱Ｗが積層された状態を維持して横倒されて払出コンベヤ４上に移載される。
【００３８】
また、本実施形態においては、前記搬送コンベヤ９の第１コンベヤ１０と第２コンベヤ１１とを各別に高さ調節可能に設けておくことが好ましい。即ち、図５（ａ）に示すように、段ボール箱Ｗの下縁が同一平面上に位置する場合には、第１コンベヤ１０の高さ位置と第２コンベヤ１１の高さ位置とを同一とする。また、図５（ｂ）又は図５（ｃ）に示すように、段ボール箱Ｗの下縁が同一平面上に位置していない場合は、第１コンベヤ１０の高さ位置と第２コンベヤ１１の高さ位置とをそれぞれ調節することで、段ボール箱Ｗの下縁形状に対応させて安定して搬送することができる。
【００３９】
なお、本実施形態においては、間隙形成手段１２の回転として、複数の係止凸部１６を備える間隙形成ベルト１５（無端ベルト）を採用したが、それ以外には、図示しないが、各段ボール箱Ｗの下縁を係止する所定間隔の係止凸部を外周面全周に一体に備えるギヤ状の回転体を採用してもよく、また、各段ボール箱Ｗの下縁に摩擦係合するローラ状の回転体でもよい。
【００４０】
また、本実施形態においては段ボール板紙として段ボール箱Ｗを挙げたが、図示しないが、段ボール製の仕切り板等の他の段ボール板紙であっても、本発明によって切屑片を容易に取除くことができる。
【図面の簡単な説明】
【図１】本発明の一実施形態の切屑片除去装置の概略構成を示す説明的側面図。
【図２】図１示の切屑片除去装置の概略構成を一部省略して示す説明的平面図。
【図３】段ボール箱の搬送状態を示す説明図。
【図４】間隙形成手段の作動を模式的に示す説明図。
【図５】搬送コンベヤによる段ボール箱の支持位置を示す説明図。
【図６】従来の切屑片除去装置の要部を模式的に示す説明図。
【符号の説明】
Ｗ…段ボール箱（段ボール板紙）、Ｙ…切屑片、１…切屑片除去装置、３…バケット、５…支持板、９…搬送コンベヤ、１０…第１コンベヤ、１１…第２コンベヤ、１２…間隙形成手段、１３，１４…プーリ、１５…無端ベルト、１６…係止凸部、１７…上部ブラシローラ、１８，１９…エア噴出手段、２１ａ，２１ｂ，２２ａ，２２ｂ…側部ブラシローラ。
【図１】
0004129370.tif 000002
【図２】
0004129370.tif 000003
【図３】
0004129370.tif 000004
【図４】
0004129370.tif 000005
【図５】
0004129370.tif 000006
【図６】
0004129370.tif 000007